(57)【特許請求の範囲】
【請求項１】
流しのゴミ受けカゴの上部に設けられる菊割れフタに対し上方から着脱自在に設置されるヌメリ除去部材であって、外周面に前記菊割れフタの環状枠部内周面に係止する係止部を備えた割りリング体と、前記菊割れフタの前記環状枠部内周面に沿って前記割りリング体に保持された複数の粒状のヌメリ除去剤とからなることを特徴とするヌメリ除去部材。
【請求項２】
前記ヌメリ除去剤は、前記割りリング体に一体に設けられている請求項１に記載のヌメリ除去部材。
【請求項３】
前記ヌメリ除去剤は、前記割りリング体と別体に設けられている請求項１に記載のヌメリ除去部材。
【請求項４】
前記割りリング体は上部材と下部材とに二分割され、前記上部材と下部材間の空間内で前記ヌメリ除去剤が移動可能なように構成されている請求項１または請求項３に記載のヌメリ除去部材。
【発明の詳細な説明】
【０００１】
【発明の属する技術分野】
この発明は、流しのゴミ受けカゴのヌメリを除去するのみならず、この受けカゴの上部に設けられる菊割れフタのヌメリも除去できる新規なヌメリ除去部材に関するものである。
【０００２】
【従来の技術およぴ発明が解決しようとする課題】
流しの排水口に設置されるゴミ受けカゴのヌメリを除去するヌメリ除去部材として、前記ゴミ受けカゴの上部に設けられる菊割れフタに対し着脱自在に設置できるカセット枠体があるけれども、その菊割れフタは汎用タイプのものではなく特殊な構造をしている。
【０００３】
すなわち、その菊割れフタは、外周面部に複数の開口が形成されているという特異な構成を有し、前記カセット枠体に設けられた粒状のヌメリ除去剤を前記開口内に押し込むことによって前記カセット枠体は前記菊割れフタの裏面に装着される。
【０００４】
そして、前記カセット枠体は、空間内をヌメリ除去剤が菊割れフタの前記外周面部に沿って移動可能なように構成されており、かつ、前記開口に対応する位置の上下部分にスリットが設けられており、流しの排水流路は、この上スリットからカセット枠体内のヌメリ除去剤に至り下スリットを経て前記ゴミ受けカゴに至るだけで、前記排出孔を通る排水流路は直接前記ゴミ受けカゴに至ることから、前記菊割れフタのヌメリは除去し難くかった。
【０００５】
この発明は、流しのゴミ受けカゴのヌメリを除去するのみならず、この受けカゴの上部に設けられる菊割れフタのヌメリも除去できる汎用性のあるヌメリ除去部材を提供することを目的とする。
【０００６】
【課題を解決するための手段】
上記目的を達成するために、この発明は、流しのゴミ受けカゴの上部に設けられる菊割れフタに対し上方から着脱自在に設置されるヌメリ除去部材であって、外周面に前記菊割れフタの環状枠部内周面に係止する係止部を備えた割りリング体と、前記菊割れフタの前記環状枠部内周面に沿って前記割りリング体に保持された複数の粒状のヌメリ除去剤とからなることを特徴としている（請求項１）。
また、この発明は、前記ヌメリ除去剤は、前記割りリング体に一体に設けられている請求項１に記載のヌメリ除去部材を提供する（請求項２）。
また、この発明は、前記ヌメリ除去剤は、前記割りリング体と別体に設けられている請求項１に記載のヌメリ除去部材を提供する（請求項３）。
また、この発明は、前記割りリング体は上部材と下部材とに二分割され、前記上部材と下部材間の空間内で前記ヌメリ除去剤が移動可能なように構成されている請求項１または請求項３に記載のヌメリ除去部材を提供する（請求項４）。
【０００７】
【発明の実施の形態】
以下にこの発明の実施の形態について説明する。なお、この発明はそれによって限定されるものではない。
【０００８】
図１、図２は、ヌメリ除去剤が一体に設けられている割りリング体を菊割れフタの上面部に設置してあるこの発明の第１の実施形態を示す。
【０００９】
図２において、１は、菊割れフタで、流しの排水口内にはめ込まれるゴミ受けカゴ（図示せず）の上部に設けられる。２は、流しのシンクに水、湯または混合水を溜めるための溜蓋である。
【００１０】
菊割れフタ１は、複数の菊割れ舌片３で構成される平面視円形の底部と、上方開口４ａを形成する縦断面略門型の環状枠部４とより主としてなる。前記環状枠部４は、縦の長さ（高さ）がＡの内周面５を有する。前記底部は、中心部に丸孔７を有するとともに、ゴミ受けカゴに連通する複数の排水用長孔６を内周面５の側に有する。排水用長孔６は、円周方向よりも径方向に長い。そして、溜蓋２は、上方開口４ａを介して環状枠部４内に前記底部まで挿入され、環状枠部４の前記内周面５に形成された環状突条部８に溜蓋２の外周面２ａが押圧される形で菊割れフタ１上に固定設置され前記排水用長孔６および丸孔７を覆う。
【００１１】
以下、この発明の特徴的構成について説明する。
【００１２】
１０は、ヌメリ除去部材で、流しのゴミ受けカゴの上部に設けられる菊割れフタ１に対し着脱自在に設置される。
【００１３】
前記ヌメリ除去部材１０は、樹脂成形された可撓性の割りリング体１１と、例えばシリコンの表面にチタン膜をコーティングしてなる複数の粒状のヌメリ除去剤１２とからなる。この実施形態では各ヌメリ除去剤１２は略球形である。
【００１４】
前記ヌメリ除去剤１２は、割りリング体１１と一体に成形されてなる。
【００１５】
更に、前記割りリング体１１は切欠部分Ｋを有するとともに、図１に示すように外周面１３に環状枠部４の前記内周面５に係止する係止部１４を有する。この係止部１４は、例えば複数の連続した突起１５より構成される。
【００１６】
すなわち、割りリング体１１の作用は以下の通りである。
前記切欠部分Ｋの幅を狭くするように割りリング体１１を撓み変形させながら上方開口４ａから環状枠部４内に前記底部まで挿入して環状枠部４の前記内周面５に臨ませ、この状態で割りリング体１１の変形を解除すると元の姿勢に弾性的に復帰する。同時に環状枠部４の前記内周面５に突起１５が食い込み、それによって、前記菊割れフタ１の上方開口４ａ内に割りリング体１１を弾性的に嵌合保持させることができる。
【００１７】
そして、前記作用を持つように、前記割りリング体１１の径方向の長さＤや内径Ｒ、あるいは、突起１５の突出量Ｂ、また、割りリング体１１の厚みＣが適宜設定される。
【００１８】
一方、前記ヌメリ除去剤１２は、環状枠部４の前記内周面５に沿った状態で前記割りリング体１１に保持されている。すなわち、略球形のヌメリ除去剤１２は、割りリング体１１の両面ａ，ｂから半分ずつ突出した状態で設けられており、割りリング体１１が菊割れフタ１内で嵌合保持されている状態では、各ヌメリ除去剤１２が、隣接する菊割れ舌片３，３間に形成されている前記排水用長孔６の径方向外方側の部分に位置決めされている。
【００１９】
而して、溜蓋２を菊割れフタ１から取り外したときの流しの排水は、各ヌメリ除去剤１２から菊割れフタ１の前記底部に至り、排水用長孔６を経てゴミ受けカゴに至るとともに、菊割れ舌片３上に排水の一部が滞留する。そのため、ゴミ受けカゴのヌメリを除去できるとともに、このゴミ受けカゴの上部に設けられる菊割れフタ１のヌメリも除去できる。
【００２０】
また、割りリング体１１の撓み変形を利用しているので、底部の径が異なるタイプの菊割れフタにも適用できる。つまり、環菊割れフタの内周面に突起１５が食い込むことが可能であるので、汎用性のあるヌメリ除去部材１０を提供することができる。
【００２１】
図３〜図５は、ヌメリ除去剤を割りリング体と別体に設けてあるこの発明の第２の実施形態を示す。なお、図３〜図５において、図１、図２に示す符号と同一のものは同一または相当物である。
【００２２】
図３〜図５において、３０は、ヌメリ除去部材で、流しのゴミ受けカゴ３１の上部に設けられる菊割れフタ１に対し着脱自在に設置される。ヌメリ除去部材３０は、樹脂成形された可撓性の割りリング体３２と、例えばシリコンの表面にチタン膜をコーティングしてなる複数の粒状のヌメリ除去剤１２とからなる。この実施形態では各ヌメリ除去剤１２は略球形である。
【００２３】
前記割りリング体３２は、薄肉の上リング部３３およびこの上リング部３３と同形の下リング部３４を薄肉の繋ぎ部３５で繋いでなる構成を有し、両リング部３３，３４および繋ぎ部３５は一体成形されている。Ｓは、割りリング体３２内の空間である。上リング部３３は、複数の凸部分３３ａを有するとともに、外周に菊割れフタ１の環状枠部４の前記内周面５に係止する係止部を有する。この係止部は、複数の突起３３ｂより構成される。同様に、下リング部３４は、複数の凹部分３４ａを有するとともに、外周に菊割れフタ１の環状枠部４の前記内周面５に係止する係止部を有する。この係止部は、複数の突起３４ｂより構成される。突起３３ｂおよび突起３４ｂによって菊割れフタ１の環状枠部４の前記内周面５に係止する係止部３９が構成されている。
【００２４】
更に、割りリング体３２は、前記凸部分３３ａと凹部分３４ａによって形成される略球状の空間を有する収容部３６を菊割れフタ１の内周面５に沿って複数設けてなる。この略球状の空間は前記空間Ｓに連通する。そして、各収容部３６にはヌメリ除去剤１２が収容されている。この実施形態では、前記収容部３６は、１個のヌメリ除去剤１２が収容できる程度の大きさに設定されている。
【００２５】
なお、複数のヌメリ除去剤１２が収容できる程度の大きさに収容部の空間を設定してもよい。この場合、空間の大きさとして、各収容部に収容される複数のヌメリ除去剤が移動可能な大きさとしてもよい。
【００２６】
また、割りリング体３２は、内周の側に径方向に沿って放射状に形成された複数の内スリット４０と、外周の側に径方向に沿って放射状に形成された複数の外スリット４１とを有する。この外スリット４１は、前記係止部３９に跨がって形成されている。
【００２７】
而して、溜蓋２を菊割れフタ１から取り外したときの流しの排水は、内スリット４０と外スリット４１からヌメリ除去剤１２が収容されている収容部３６に至る一方で、内スリット４０と外スリット４１から排出されて菊割れフタ１の前記底部に至り、排水用長孔６を経てゴミ受けカゴ３１に至るとともに、菊割れ舌片３上に排水の一部が滞留する。そのため、ゴミ受けカゴのヌメリを除去できるとともに、このゴミ受けカゴの上部に設けられる菊割れフタ１のヌメリも除去できる。
【００２８】
また、割りリング体３２の撓み変形を利用しているので、底部の径が異なるタイプの菊割れフタにも適用できる。
【００２９】
なお、この発明は、割りリング体を上部材と下部材とに二分割して互いに着脱自在とし、前記上部材と下部材間の空間内で菊割れフタの円周面上をヌメリ除去剤が移動可能なように構成してもよい。
【００３０】
【発明の効果】
以上説明したようにこの発明では、流しのゴミ受けカゴのヌメリを除去するのみならず、この受けカゴの上部に設けられる菊割れフタのヌメリも除去できる汎用性のあるヌメリ除去部材を提供できる。
【図面の簡単な説明】
【図１】  （Ａ）この発明の第１の実施形態を示す平面図である。
（Ｂ）上記実施形態におけるＥ−Ｅ線矢視図である。
【図２】  （Ａ）上記実施形態における使用状態を示す平面図である。
（Ｂ）上記実施形態における使用状態を示す構成説明図である。
【図３】  この発明の第２の実施形態における使用状態を示す分解斜視図である。
【図４】  上記第２の実施形態を示す平面図である。
【図５】  上記第２の実施形態を示す正面図である。
【符号の説明】
１…菊割れフタ、４…環状枠部、５…環状枠部内周面、１０…ヌメリ除去部材、１１…割りリング体、１２…ヌメリ除去剤、１３…外周面、１４…係止部。
【図１】
0004658399.tif 000002
【図２】
0004658399.tif 000003
【図３】
0004658399.tif 000004
【図４】
0004658399.tif 000005
【図５】
0004658399.tif 000006